(57)【要約】【課題】音声信号処理装置が処理可能なフォーマットの音声信号を、自身がそのフォーマットの音声信号を処理可能であるか否かに関わらず、信号供給装置から供給させることができる表示装置を実現する。【解決手段】  テレビ１０は、ＡＶアンプ２０が処理可能な音声信号のフォーマットを示すフォーマット情報をアンプ２０から取得するＣＥＣ処理部１０１と、取得したフォーマット情報をＥＤＩＤメモリ１１２ａに記録するマイコン部１１０と、を備えている。マイコン部１１０は、ＥＤＩＤメモリ１１２ａに記録されたフォーマット情報を含むＥＤＩＤデータをプレーヤ３０に読み出させ、プレーヤ３０から入力された音声信号をアンプ２０に供給する。【選択図】図１
2011217366.tif 000002
【特許請求の範囲】
【請求項１】
映像信号および音声信号を供給する信号供給装置と、上記信号供給装置から供給された音声信号を処理する音声信号処理装置とに接続され、上記映像信号の表わす映像を表示する表示装置であって、
上記音声信号処理装置が処理可能な音声信号のフォーマットを示すフォーマット情報を上記音声信号処理装置から取得する取得手段と、
上記表示装置に供給する音声信号のフォーマットを決定するために上記信号供給装置により読み出されるフォーマット情報を、上記取得手段が取得したフォーマット情報に書き換える書換手段と、を備えている、ことを特徴とする表示装置。
【請求項２】
上記信号供給装置から供給された音声信号を処理する音声信号処理手段と、
上記音声信号を上記音声信号処理装置と上記音声信号処理手段とのいずれに処理させるかの指示を受け付ける指示受付部と、をさらに備え、
上記書換手段は、上記指示受付部が受け付けた指示が上記音声信号処理手段に処理させる旨の指示である場合には、上記信号供給装置により読み出されるフォーマット情報を、上記表示装置が処理可能な音声信号を表わすフォーマット情報に書き換えることを特徴とする請求項１に記載の表示装置。
【請求項３】
上記音声信号処理装置が上記表示装置に接続されたことを検出する検出手段を更に備え、
上記取得手段は、上記音声信号処理装置が上記表示装置に接続されたことを上記検出手段が検出したときに上記フォーマット情報を取得するとともに記憶部に記録し、
上記書換手段は、上記指示受付部が上記音声信号処理手段に処理させる旨の指示を受け付けた場合には、上記信号供給装置により読み出されるフォーマット情報を、上記記憶部に記録したフォーマット情報に書き換えることを特徴とする請求項２に記載の表示装置。
【請求項４】
上記表示装置と上記音声信号処理装置との間の接続が切断されたことを検出する第２検出手段をさらに備え、
上記第２検出手段が切断を検出した場合に、上記書換手段は、上記信号供給装置により読み出されるフォーマット情報を、上記表示装置が処理可能な音声信号を表わすフォーマット情報に書き換えることを特徴とする請求項３に記載の表示装置。
【請求項５】
上記音声信号処理装置とは、デジタル通信チャネルを介して接続されており、
上記音声信号処理装置に供給される音声信号は、上記デジタル通信チャネルを介して供給されることを特徴とする請求項１から４のいずれか１項に記載の表示装置。
【請求項６】
上記デジタル通信チャネルは、ＨＤＭＩ規格に準拠した伝送方式で信号が伝送される通信チャネルである、ことを特徴とする請求項５に記載の表示装置。
【請求項７】
上記デジタル通信チャネルはＨＤＭＩケーブルである、ことを特徴とする請求項６に記載の表示装置。
【請求項８】
上記音声信号処理装置とはデジタル音声ケーブルを介して接続されており、
上記取得手段が上記音声信号処理装置から取得した上記フォーマット情報が示すフォーマットの中から上記表示装置が上記デジタル音声ケーブルを介して音声信号を供給可能なフォーマットを抽出する抽出手段をさらに備え、
上記書換手段は、上記信号供給装置により読み出されるフォーマット情報を、上記抽出手段が抽出したフォーマットを示すフォーマット情報に書き換えることを特徴とする請求項１から７のいずれか１項に記載の表示装置。
【請求項９】
上記音声信号処理装置とはデジタル音声ケーブルを介して接続されており、
上記取得手段は、上記音声信号処理装置が処理可能な音声信号のフォーマットであって上記表示装置が上記デジタル音声ケーブルを介して音声信号を供給可能なフォーマットを示すフォーマット情報を上記音声信号処理装置から取得することを特徴とする請求項１から８のいずれか１項に記載の表示装置。
【請求項１０】
請求項１から９のいずれか１項に記載の表示装置が備える各手段を備えていることを特徴とするテレビジョン受像機。
【請求項１１】
請求項１から９のいずれか１項に記載の表示装置と、上記表示装置に接続されている上記信号供給装置と、上記表示装置に接続されている上記音声信号処理装置と、を含んでいる音声信号供給システム。
【請求項１２】
映像信号および音声信号を供給する信号供給装置と、上記信号供給装置から供給された音声信号を処理する音声信号処理装置とに接続され、上記映像信号の表わす映像を表示する表示装置が、上記信号供給装置に音声信号を供給させる音声信号供給方法であって、
上記音声信号処理装置が処理可能な音声信号のフォーマットを示すフォーマット情報を上記音声信号処理装置から取得する取得工程と、
上記表示装置に供給する音声信号のフォーマットを決定するために上記信号供給装置により読み出されるフォーマット情報を、上記取得工程にて取得したフォーマット情報に書き換える書換工程と、を含んでいる、ことを特徴とする音声信号供給方法。
【請求項１３】
請求項１から９のいずれか１項に記載の表示装置としてコンピュータを動作させるプログラムであって、コンピュータを上記の各手段として機能させるためのプログラム。
【請求項１４】
請求項１３に記載のプログラムを記録しているコンピュータ読み取り可能な記録媒体。
【発明の詳細な説明】
【技術分野】
【０００１】
本発明は、主に、信号供給装置に音声信号を供給させる表示装置およびそのような表示装置における音声信号供給方法に関する。
【背景技術】
【０００２】
近年、デジタル放送を受信可能なデジタルテレビが急速に普及している。
【０００３】
デジタルテレビは、デジタル放送される番組の映像を高精細に表示することができる。また、高精細な映像を表示可能であるという特性を生かすために、デジタルテレビにはＨＤＭＩ（High-Definition Multimedia Interface）に対応しているものも多い。
【０００４】
ＨＤＭＩは、非圧縮デジタル形式の映像データや音声データを伝送することが可能なインターフェースである。ＨＤＭＩのデータ伝送においては、ソース機器は、シンク機器のＥＤＩＤ（Extended display identification data）メモリに記録されているフォーマットの情報をシンク機器から取得するようになっている。これにより、例えば、ＨＤＭＩ対応のデジタルテレビでは、ＥＤＩＤメモリに”1920x1280”や”1280x720”などの高精細な映像フォーマットが記録されているので、ＨＤＭＩ対応のプレーヤ（例えば、BD（Blu-ray Disc）プレーヤ）と接続することにより、プレーヤが再生するコンテンツの映像を高精細に表示することができる。
【０００５】
また、プレーヤは、ＨＤＭＩ対応のＡＶアンプと接続することにより、サラウンド録音されたコンテンツの音声を、ＡＶアンプを介してサラウンドスピーカからサラウンド出力することができる。これは、ＨＤＭＩ対応のＡＶアンプは一般にサラウンド出力に対応しており、ＡＶアンプのＥＤＩＤには、2ch L-PCMのようなステレオフォーマット以外にマルチチャンネルL-PCM,DTS-HD等のマルチチャンネルのフォーマットが記録されているからである。
【０００６】
ところで、「ソース機器からシンク機器に伝送可能なデータのフォーマットはシンク機器のＥＤＩＤとして記録されているフォーマットになることが多い」というＨＤＭＩのデータ伝送の特性に鑑みて、様々な発明がなされている。
【０００７】
例えば、特許文献１には、自身に接続されている全てのシンク機器がサポートするフォーマット（すなわち、いずれのシンク機器のＥＤＩＤにも記録されているフォーマット）を検出し、検出したフォーマットを示す情報を各シンク機器に送信するソース機器が開示されている。
【０００８】
また、特許文献２には、適合していないフォーマットのデータを受信したときに、適合するフォーマットのデータをデータ送信装置に送信させるデータ受信装置が開示されている。さらに、特許文献３には、映像出力装置がサポートする映像フォーマットと自身がサポートする映像フォーマットとを比較し、両者が共にサポートする映像フォーマットのうち最も解像度が高い映像フォーマットの映像データを映像出力装置に送信させることが可能な表示装置が開示されている。
【０００９】
以下、デジタルテレビがシンク機器となり、ＡＶアンプおよびプレーヤがそれぞれテレビに直接接続されたソース機器となるシステムを構成した場合について考える。
【００１０】
このシステムでは、プレーヤで再生するコンテンツの映像をデジタルテレビに表示する。また、ＨＤＭＩのＣＥＣ規格にて規定されているSystem Audio Control機能を用いることにより、コンテンツの音声をＡＶアンプに接続されたスピーカから出力することが可能である。この場合、デジタル音声ケーブルを通じて入力されたＳＰＤＩＦフォーマットの音声データに基づいて音声を出力することも可能であるし、ＡＲＣ（Audio Return Channel）によりＨＤＭＩケーブルを通じて入力されたＳＰＤＩＦフォーマットの音声データに基づいて音声を出力することも可能である。
【先行技術文献】
【特許文献】
【００１１】
【特許文献１】特開２００９−２１３１２１号公報（平成２１年９月１７日公開）
【特許文献２】特開２００８−１６０６５３号公報（平成２０年７月１０日公開）
【特許文献３】特開２０１０−１４９７９号公報（平成２２年１月２１日公開）
【発明の概要】
【発明が解決しようとする課題】
【００１２】
しかしながら、特許文献１〜３に開示された技術を用いたとしても、デジタルテレビがシンク機器となり、サラウンドに対応したＡＶアンプとプレーヤとがそれぞれテレビに直接接続されたソース機器となるシステムを構成して、サラウンド録音されたコンテンツをプレーヤに再生させた場合に、一度テレビを通したコンテンツの音声はＡＶアンプのサラウンドスピーカからサラウンド出力させることができないという問題がある。これは、デジタルテレビ自体は一般にサラウンド音声の出力に対応していない（すなわち、デジタルテレビのＥＤＩＤメモリにはマルチチャンネルの音声信号のフォーマットを示すフォーマット情報が記録されていない）からである。
【００１３】
本発明は、上記課題に鑑みてなされたものであり、その目的は、プレーヤなどの信号供給装置とＡＶアンプなどの音声信号処理装置とに接続される表示装置において、音声信号処理装置が処理可能なフォーマットの音声信号を、自身がそのフォーマットの音声信号を処理可能であるか否かに関わらず、信号供給装置から供給させることができる表示装置を実現することにある。
【課題を解決するための手段】
【００１４】
本発明に係る表示装置は、上記課題を解決するために、映像信号および音声信号を供給する信号供給装置と、上記信号供給装置から供給された音声信号を処理する音声信号処理装置とに接続され、上記映像信号の表わす映像を表示する表示装置であって、上記音声信号処理装置が処理可能な音声信号のフォーマットを示すフォーマット情報を上記音声信号処理装置から取得する取得手段と、上記表示装置に供給する音声信号のフォーマットを決定するために上記信号供給装置により読み出されるフォーマット情報を、上記取得手段が取得したフォーマット情報に書き換える書換手段と、を備えている、ことを特徴としている。
【００１５】
上記の構成によれば、表示装置は、音声信号処理装置が処理することが可能な音声信号のフォーマットを示すフォーマット情報を信号供給装置に読み出させることにより、信号供給装置が表示装置に供給する音声信号のフォーマットを、音声信号処理装置が処理することが可能なフォーマットに決定させる。これにより、音声信号処理装置が処理することが可能なフォーマットの音声信号を、信号供給装置から取得して音声信号処理装置に提供することが可能になる。
【００１６】
したがって、例えば、音声信号処理装置（例えば、ＡＶアンプ）がサラウンド音声信号を処理可能なものであれば、表示装置は、自身がサラウンド音声信号を処理可能であるか否かに関わらず、信号供給装置（例えば、プレーヤ）にサラウンド音声信号を供給させ、これを音声信号処理装置に提供することが可能になる。
【００１７】
本発明に係る音声信号供給方法は、上記課題を解決するために、映像信号および音声信号を供給する信号供給装置と、上記信号供給装置から供給された音声信号を処理する音声信号処理装置とに接続され、上記映像信号の表わす映像を表示する表示装置が、上記信号供給装置に音声信号を供給させる音声信号供給方法であって、上記音声信号処理装置が処理可能な音声信号のフォーマットを示すフォーマット情報を上記音声信号処理装置から取得する取得工程と、上記表示装置に供給する音声信号のフォーマットを決定するために上記信号供給装置により読み出されるフォーマット情報を、上記取得工程にて取得したフォーマット情報に書き換える書換工程と、を含んでいる、ことを特徴としている。
【００１８】
上記の構成に依れば、本発明に係る音声信号供給方法は、本発明に係る表示装置と同様の作用効果を奏する。
【００１９】
上記表示装置は、上記信号供給装置から供給された音声信号を処理する音声信号処理手段と、上記音声信号を上記音声信号処理装置と上記音声信号処理手段とのいずれに処理させるかの指示を受け付ける指示受付部と、をさらに備え、上記書換手段は、上記指示受付部が受け付けた指示が上記音声信号処理手段に処理させる旨の指示である場合には、上記信号供給装置により読み出されるフォーマット情報を、上記表示装置が処理可能な音声信号を表わすフォーマット情報に書き換えることが望ましい。
【００２０】
上記の構成によれば、表示装置は、表示装置自身が備える音声信号処理手段により音声信号を処理させる旨の指示を受け付けた場合には、表示装置が処理可能な音声信号を表わすフォーマット情報を信号供給装置に読み出させる。すなわち、表示装置に供給される音声信号のフォーマットは、表示装置が処理することが可能な音声信号のフォーマットになる。
【００２１】
したがって、表示装置は、自身が備える音声信号処理手段と音声出力処理装置とのいずれにも音声信号を処理させることができるというさらなる効果を奏する。
【００２２】
上記表示装置は、上記音声信号処理装置が上記表示装置に接続されたことを検出する検出手段を更に備え、上記取得手段は、上記音声信号処理装置が上記表示装置に接続されたことを上記検出手段が検出したときに上記フォーマット情報を取得するとともに記憶部に記録し、上記書換手段は、上記指示受付部が上記音声信号処理手段に処理させる旨の指示を受け付けた場合には、上記信号供給装置により読み出されるフォーマット情報を、上記記憶部に記録したフォーマット情報に書き換えることが望ましい。
【００２３】
また、上記表示装置は、上記表示装置と上記音声信号処理装置との間の接続が切断されたことを検出する第２検出手段をさらに備え、上記第２検出手段が切断を検出した場合に、上記書換手段は、上記信号供給装置により読み出されるフォーマット情報を、上記表示装置が処理可能な音声信号を表わすフォーマット情報に書き換えることが望ましい。
【００２４】
上記の構成によれば、上記表示装置は、上記表示装置と上記音声信号処理装置との間の接続が切断されたために音声信号処理装置が音声信号を処理することが不可能な状態になり、表示装置の音声信号処理手段が音声信号を処理することになる場合、表示装置が処理可能な音声信号の供給を信号供給装置から受けることになる。したがって、上記表示装置は、上記の場合であっても、自身が備える音声信号処理手段に確実に音声信号を処理させることができるというさらなる効果を奏する。
【００２５】
また、上記表示装置は、上記音声信号処理装置とは、デジタル通信チャネルを介して接続されており、上記音声信号処理装置に供給される音声信号は、上記デジタル通信チャネルを介して供給されることが望ましい。また、上記表示装置は、上記デジタル通信チャネルが、ＨＤＭＩ規格に準拠した伝送方式で信号が伝送される通信チャネルであることが望ましく、さらに、上記表示装置は、上記デジタル通信チャネルがＨＤＭＩケーブルである、ことが望ましい。
【００２６】
上記の構成によれば、表示装置は、音声信号処理装置との間の情報の伝達を、ＨＤＭＩケーブル１本を通じて行うことができるというさらなる効果を奏する。
【００２７】
また、上記表示装置は、上記音声信号処理装置とはデジタル音声ケーブルを介して接続されており、上記取得手段が上記音声信号処理装置から取得した上記フォーマット情報が示すフォーマットの中から上記表示装置が上記デジタル音声ケーブルを介して音声信号を供給可能なフォーマットを抽出する抽出手段をさらに備え、上記書換手段は、上記信号供給装置により読み出されるフォーマット情報を、上記抽出手段が抽出したフォーマットを示すフォーマット情報に書き換えることが望ましい。
【００２８】
また、上記表示装置は、上記音声信号処理装置とはデジタル音声ケーブルを介して接続されており、上記取得手段は、上記音声信号処理装置が処理可能な音声信号のフォーマットであって上記表示装置が上記デジタル音声ケーブルを介して音声信号を供給可能なフォーマットを示すフォーマット情報を上記音声信号処理装置から取得することが望ましい。
【００２９】
上記の各構成によれば、音声信号処理装置および表示装置がデジタル音声端子を備えており、かつ、表示装置のデジタル音声端子と、音声信号処理装置のデジタル音声端子と、をデジタル音声ケーブルで接続して、音声信号を表示装置から音声信号処理装置に供給する場合であっても、音声信号処理装置に確実に音声信号を処理させることができるというさらなる効果を奏する。
【００３０】
また、本発明は、上記表示装置と、上記表示装置に接続されている上記信号供給装置と、上記表示装置に接続されている上記音声信号処理装置と、を含んでいる音声信号供給システムとしても実現できる。また、上記表示装置が備える各手段を備えていることを特徴とするテレビジョン受像機としても実現できる。
【００３１】
また、本発明に係る表示装置としてコンピュータを動作させるためのプログラムであって、コンピュータを上記の各手段として機能させることを特徴とするプログラム、および、そのプログラムを記録した、コンピュータが読み取り可能な記録媒体も本発明の範疇に含まれる。
【発明の効果】
【００３２】
以上のように、本発明に係る表示装置は、プレーヤなどの信号供給装置とＡＶアンプなどの音声信号処理装置とに接続される表示装置において、音声信号処理装置が処理可能なフォーマットの音声信号を、自身がそのフォーマットの音声信号を処理可能であるか否かに関わらず、信号供給装置から供給させることができるという効果を奏する。
【図面の簡単な説明】
【００３３】
【図１】本発明の実施形態に係るテレビの構成を示すブロック図である。
【図２】図１に示すテレビをシンク機器とし、ＡＶアンプをリピータ機器、プレーヤおよびレコーダをソース機器とするシステムの構成を示した図である。
【図３】図１に示すテレビが、ＡＶアンプが処理可能な音声信号のフォーマット（音声フォーマット）を示すフォーマット情報を取得して、プレーヤに通知する処理を示すフローチャートであり、（ａ）は、テレビの起動時の動作を示すフローチャートであり、（ｂ）は、ユーザーにより音声の出力先が変更された際の動作を示すフローチャートである。
【図４】（ａ）はテレビから音声を出力する設定になっている場合にテレビからプレーヤに送信するＥＤＩＤデータを１６進表現で示した図であり、（ｂ）は外部のスピーカから音声を出力する設定になっている場合にテレビからプレーヤに送信するＥＤＩＤデータを１６進表現で示した図である。
【図５】図１に示すテレビをリピータ機器とし、ＡＶアンプをシンク機器、プレーヤおよびレコーダをソース機器とするシステムの構成を示した図である。
【発明を実施するための形態】
【００３４】
本発明の一実施形態に係るＡＶシステム１（音声信号供給システム）について、図１〜図４を参照しながら以下に説明する。
【００３５】
図２は、ＡＶシステム１のシステム構成を示すブロック図である。図２に示すように、ＡＶシステム１は、テレビ１０（表示装置）、ＡＶアンプ２０、プレーヤ３０、スピーカ４０、およびレコーダ５０によって構成されている。
【００３６】
また、テレビ１０とＡＶアンプ２０とレコーダ５０とは、テレビ１０がシンク機器となりＡＶアンプ２０がリピータ機器となりレコーダ５０がソース機器となるようにＨＤＭＩケーブルにより接続されている。また、テレビ１０とＡＶアンプ２０とはＳＰＤＩＦフォーマットを伝送するデジタル音声ケーブルにより接続されており、テレビ１０からＡＶアンプ２０に出力される音声信号はデジタル音声ケーブルを通るようになっている。
【００３７】
同様に、テレビ１０とプレーヤ３０とは、テレビ１０がシンク機器となりプレーヤ３０がソース機器となるようにＨＤＭＩケーブルにより接続されている。
【００３８】
ＡＶアンプ２０はスピーカケーブルによりスピーカ４０と接続されている。
【００３９】
以下、テレビ１０（表示装置）について、図１、図３および図４を参照しながら具体的に説明する。
【００４０】
テレビ１０は、以下に説明するように、ＨＤＭＩ・Ｉ／Ｆ（インタフェース）を複数備えている。また、テレビ１０は、ＨＤＭＩのＣＥＣに対応しているが、サラウンド音声の出力をサポートしていない。さらに、テレビ１０は、テレビ１０自身に音声信号を処理させスピーカ１１５から音声を出力させるか、あるいは、ＨＤＭＩ接続されたオーディオ機器に音声信号を処理させスピーカ４０から音声を出力させるかに関する設定（以下、「音声出力先設定」と呼称する）が可能となっている。
【００４１】
＜テレビ１０の構成＞
まず、テレビ１０の構成について、図１を参照して説明する。図１はテレビ１０の構成を示すブロック図である。
【００４２】
図１に示すように、本実施形態のテレビ１０は、マイコン部１１０、ＣＥＣ処理部１０１、映像処理部１０２、音声処理部１０３、ＨＤＭＩレシーバ１０４、ＨＤＭＩスイッチ１０５、メモリ１１１、ＥＤＩＤメモリ１１２ａ、１１２ｂ、リモコン受信部１１３、パネル１１４、スピーカ１１５、ＳＰＤＩＦ・Ｉ／Ｆ１２１、ＨＤＭＩ・Ｉ／Ｆ１２２ａ、１２２ｂを備えている。
【００４３】
（ＣＥＣ処理部１０１）
ＣＥＣ処理部１０１は、「オーディオフォーマット要求コマンド」をオーディオ機器（図１ではＡＶアンプ２０）に送信し、「オーディオフォーマット対応コマンド」を受信する。ここで、「オーディオフォーマット要求コマンド」は、オーディオ機器が処理することが可能な音声信号のフォーマットを返却するよう要求するベンダ固有のＣＥＣコマンドである。また、「オーディオフォーマット対応コマンド」は、「オーディオフォーマット対応コマンド」を受け付けたオーディオ機器が処理することが可能な音声信号のフォーマットをシンク機器に送信するためのベンダ固有のＣＥＣコマンドである。
【００４４】
（映像処理部１０２）
映像処理部１０２は、放送受信部（図示せず）で受信した番組コンテンツの映像信号やＨＤＭＩレシーバ１０４から入力された映像信号を、パネル１１４に入力可能な映像信号に変換する。
【００４５】
（音声処理部１０３）
音声処理部１０３は、放送受信部で受信した番組コンテンツの音声信号やＨＤＭＩレシーバ１０４から入力された音声信号を、音声出力先設定に応じて、スピーカ１１５に入力可能な音声信号に変換する処理を行ったり、当該処理を行わずにそのままＳＰＤＩＦ・Ｉ／Ｆ１２１を介してＡＶアンプ２０に供給したりする。
【００４６】
（ＨＤＭＩレシーバ１０４）
ＨＤＭＩレシーバ１０４は、ＨＤＭＩスイッチ１０５からのＴＭＤＳ信号を入力として、映像信号を映像処理部１０２に、音声信号を音声処理部１０３に出力する。
【００４７】
（ＨＤＭＩスイッチ１０５）
ＨＤＭＩスイッチ１０５は、ＨＤＭＩレシーバ１０４に供給するＴＭＤＳ信号を、ＨＤＭＩ・Ｉ／Ｆ１１２ａから入力されるＴＭＤＳ信号およびＨＤＭＩ・Ｉ／Ｆ１１２ｂから入力されるＴＭＤＳ信号のいずれかに切り替える。
【００４８】
（メモリ１１１）
メモリ１１１は、テレビ１０が処理することが可能な音声信号のフォーマットを示すフォーマット情報、または、テレビ１０にＨＤＭＩ接続されているオーディオ機器が処理することが可能な音声信号のフォーマットを示すフォーマット情報を保持する。
【００４９】
（ＥＤＩＤメモリ１１２ａ）
ＥＤＩＤメモリ１１２ａは、ＨＤＭＩ・Ｉ／Ｆ１２２ａを通じて接続された外部のＨＤＭＩ機器（図１ではプレーヤ３０）が参照するＥＤＩＤデータを保持するメモリである。
【００５０】
（ＥＤＩＤメモリ１１２ｂ）
ＥＤＩＤメモリ１１２ｂは、ＨＤＭＩ・Ｉ／Ｆ１２２ｂを通じて接続された外部のＨＤＭＩ機器（図１ではＡＶアンプ２０）が参照するＥＤＩＤデータを保持するメモリである。
【００５１】
（リモコン受信部１１３）
リモコン受信部１１３、図示しないリモコンからのリモコン操作（例えば、音声信号をテレビ１０に処理させ、スピーカ１１５から音声を出力させる操作、音声信号をＡＶアンプ２０に処理させスピーカ４０から出力させる操作、映像入力切替の操作）に応じた信号を受信する。
【００５２】
（パネル１１４）
パネル１１４は、映像処理部１０２から入力される映像信号に基づいて映像を表示する。
【００５３】
（スピーカ１１５）
スピーカ１１５は、音声処理部１０３から入力される２チャンネルの音声信号に基づいてステレオ音声を出力するステレオスピーカである。
【００５４】
（ＳＰＤＩＦ・Ｉ／Ｆ１２１）
ＳＰＤＩＦ・Ｉ／Ｆ１２１は、ＳＰＤＩＦ入力端子が備わったオーディオ機器（図１ではＡＶアンプ２０）とＳＰＤＩＦ接続するためのＳＰＤＩＦ端子である。
【００５５】
（ＨＤＭＩ・Ｉ／Ｆ１２２ａ）
ＨＤＭＩ・Ｉ／Ｆ１２２ａは、外部のソース機器（図１ではプレーヤ３０）とＨＤＭＩ接続するためのＨＤＭＩ端子である。
【００５６】
（ＨＤＭＩ・Ｉ／Ｆ１２２ｂ）
ＨＤＭＩ・Ｉ／Ｆ１２２ｂは、外部のソース機器（図１ではＡＶアンプ２０）とＨＤＭＩ接続するためのＨＤＭＩ端子である。
【００５７】
（マイコン部１１０）
マイコン部１１０は、テレビ１０の各部を制御するＣＰＵ（中央演算装置）である。マイコン部１１０は、ＣＥＣ処理部１０１がオーディオ機器（図１ではＡＶアンプ２０）から受信したオーディオフォーマット対応コマンドに含まれる音声フォーマットを示すフォーマット情報を、メモリ１１１に記録する。また、マイコン部１１０は、メモリ１１１に記録されているフォーマット情報により、該オーディオ機器に参照させるためのＥＤＩＤメモリ以外のＥＤＩＤメモリ（図１ではＥＤＩＤメモリ１１２ａ）について、保存されているＥＤＩＤデータの一部を書き換える。
【００５８】
（ＡＶシステム１を構成するテレビ１０以外の機器について）
次に、ＡＶアンプ２０、プレーヤ３０、スピーカ４０、およびレコーダ５０について、以下に説明する。
【００５９】
ＡＶアンプ２０は、ＨＤＭＩのＣＥＣに対応したオーディオ機器であり、入力される音声信号を増幅するアンプである。ＡＶアンプ２０は、AC-3,DTS,AAC、その他多数のフォーマットの音声信号に対応している。すなわち、ＡＶアンプ２０は、サラウンド形式の音声フォーマットの音声信号に対応し、ＡＶアンプ２０に接続されているサラウンドスピーカシステムからサラウンド音声を出力することができる。
【００６０】
また、ＡＶアンプ２０は、オーディオフォーマット要求コマンドを受信すると、自身が処理することが可能な全音声フォーマットを示すフォーマット情報をオーディオフォーマット対応コマンドに含めて、オーディオフォーマット要求コマンドの送信元に返却する。なお、オーディオフォーマット要求コマンドに１種類以上の音声フォーマットを示すパラメータが含まれている場合、パラメータで指定された音声フォーマットのうちＡＶアンプ２０が処理することが可能な全音声フォーマットを示すフォーマット情報を、オーディオフォーマット対応コマンドに含める。
【００６１】
プレーヤ３０は、光ディスクに記録されている映像コンテンツを再生することが可能なプレーヤであり、ＢＤプレーヤやＤＶＤプレーヤといったものが具体例として挙げられる。プレーヤ３０は、接続先のＨＤＭＩ機器がマルチチャンネルの音声フォーマットを処理することが可能であると判定した場合、映像コンテンツを再生すると、映像信号とマルチチャンネルの音声信号とをＨＤＭＩ機器に出力するようになっている。
【００６２】
スピーカ４０は、サラウンド音声を出力することが可能なサラウンドスピーカシステムである。
【００６３】
レコーダ５０は、ＨＤＤ（ハードディスクドライブ）等の記録媒体を内蔵しているレコーダであり、放送受信部で受信した番組コンテンツをＨＤＤ等の記録媒体に記録し、再生することが可能である。レコーダ５０は、接続先のＨＤＭＩ機器がマルチチャンネルの音声フォーマットを処理することが可能であると判定した場合、映像コンテンツを再生すると、映像信号とマルチチャンネルの音声信号とをＨＤＭＩ機器に出力するようになっている。
【００６４】
（テレビ１０の動作）
次に、テレビ１０の動作について、図３を参照しながら以下に説明する。
【００６５】
最初に、テレビ１０が起動時に行う動作について図３（ａ）を参照しながら、以下に説明する。図３（ａ）は、テレビ１０が起動時に行う動作を示すフローチャートである。
【００６６】
図３（ａ）に示すように、テレビ１０が起動すると、マイコン部１１０は、各ＨＤＭＩ・Ｉ／ＦにＣＥＣ対応のオーディオ機器がＨＤＭＩ接続されているか否かを判定する（Ｓ１０１）。
【００６７】
いずれのＨＤＭＩ・Ｉ／ＦにもＨＤＭＩ接続されていないと判定された場合（Ｓ１０１においてＮＯ）、Ｓ１０９の処理に進む。
【００６８】
一方、ＣＥＣ対応のオーディオ機器がＨＤＭＩ接続されているＨＤＭＩ・Ｉ／Ｆが存在すると判定された場合（Ｓ１０１においてＹＥＳ）、ＨＤＭＩ接続されているオーディオ機器（ここでは、「対象オーディオ機器」と称する）に対してオーディオフォーマット要求コマンドを送信するよう、ＣＥＣ処理部１０１に要求する。例えば、図１のようにＡＶアンプ２０がＨＤＭＩ・Ｉ／Ｆ１２２ｂにＨＤＭＩ接続されている場合には、ＡＶアンプ２０に対してオーディオフォーマット要求コマンドを送信するよう、ＣＥＣ処理部１０１に要求する。
【００６９】
そして、ＣＥＣ処理部１０１は、マイコン部１１０からの要求に基づいてオーディオフォーマット要求コマンドを対象オーディオ機器に送信する（Ｓ１０２）。ここで、オーディオフォーマット要求コマンドにはパラメータが指定されていないものとする。
【００７０】
そして、ＣＥＣ処理部１０１は、オーディオフォーマット対応コマンドを受信するまで一定期間待機する（Ｓ１０３）。
【００７１】
オーディオフォーマット対応コマンドを受信した場合（Ｓ１０３においてＹＥＳ）、ＣＥＣ処理部１０１は、受信したオーディオフォーマット対応コマンドに含まれる音声フォーマットを示すフォーマット情報をマイコン部１１０に出力し、マイコン部１１０は、入力されたフォーマット情報をメモリ１１１に格納する（Ｓ１０４）。
【００７２】
一方、オーディオフォーマット対応コマンドを受信しなかった場合（Ｓ１０３においてＮＯ）、ＣＥＣ処理部１０１は、受信しなかった旨をマイコン部１１０に通知し、マイコン部１１０は、2ch L-PCMフォーマットを示す情報をメモリ１１１に格納する（Ｓ１０５）。
【００７３】
その後、マイコン部１１０は、音声出力先設定が外部のスピーカから音声を出力する設定になっているか（すなわち、ＡＶアンプ２０に音声信号を処理させスピーカ４０から音声を出力させる設定になっているか）否かを判定する（Ｓ１０６）。
【００７４】
外部のスピーカから音声を出力する設定になっていると判定された場合（Ｓ１０６においてＹＥＳ）、マイコン部１１０は、対象オーディオ機器が参照するＥＤＩＤメモリ以外のＥＤＩＤメモリ（図１では、ＥＤＩＤメモリ１１２ａ）について、保存されているＥＤＩＤデータの一部を書き換える。すなわち、マイコン部１１０は、メモリ１１１に格納された音声フォーマットを示すフォーマット情報の中から、音声信号をＳＰＤＩＦから出力可能な音声フォーマットを示すフォーマット情報を抽出する。そして、マイコン部１１０は、抽出したフォーマット情報により、ＥＤＩＤデータのうち音声フォーマットに関するデータの部分を置き換える（Ｓ１０７）。
【００７５】
一方、テレビ１０自身に音声信号を処理させ、スピーカ１１５から音声を出力させる設定になっていると判定された場合（Ｓ１０６においてＮＯ）、Ｓ１０７と同様にＥＤＩＤデータの一部を書き換えるが、マイコン部１１０は、２チャンネルの音声フォーマット（テレビ１０がスピーカ１１５から音声を出力することが可能な音声フォーマット）を示すフォーマット情報によって、ＥＤＩＤデータのうち音声フォーマットに関するデータの部分を書き換える（Ｓ１０８）。
【００７６】
最後に、プレーヤ３０がＨＤＭＩ・Ｉ／Ｆ１２２ａを介してＨＤＭＩ接続されたことをマイコン部１１０が検出すると、マイコン部１１０は、ＥＤＩＤメモリ１１２ａに記録されているＥＤＩＤデータをプレーヤ３０に送信する（Ｓ１０９）。
【００７７】
次に、音声出力先設定が変更された際に行うテレビ１０の動作について図３（ｂ）を参照しながら、以下に説明する。図３（ｂ）は、音声出力先設定が変更された際にテレビ１０が行う動作を示すフローチャートである。
【００７８】
図３（ｂ）に示すように、マイコン部１１０は、音声出力先設定が外部のスピーカから音声を出力する設定になっているか（すなわち、ＡＶアンプ２０を用いて音声を聞く設定になっているか）否かを判定する（Ｓ１２１）。
【００７９】
外部のスピーカから音声を出力する設定になっていると判定された場合（Ｓ１２１においてＹＥＳ）、マイコン部１１０は、対象オーディオ機器が参照するＥＤＩＤメモリ以外のＥＤＩＤメモリ（図１では、ＥＤＩＤメモリ１１２ａ）について、保存されているＥＤＩＤデータの一部を書き換える。すなわち、マイコン部１１０は、メモリ１１１に格納された音声フォーマットを示すフォーマット情報の中から、音声信号をＳＰＤＩＦから出力可能な音声フォーマットを示すフォーマット情報を抽出する。そして、マイコン部１１０は、抽出したフォーマット情報により、ＥＤＩＤデータのうち音声フォーマットに関するデータの部分を置き換える（Ｓ１２２）。
【００８０】
一方、テレビ１０のスピーカ１１５から音声を出力する設定になっていると判定された場合（Ｓ１２１においてＮＯ）、Ｓ１０７と同様にＥＤＩＤデータの一部を書き換えるが、マイコン部１１０は、テレビ１０が処理することが可能な２チャンネルの音声フォーマットを示すフォーマット情報によって、ＥＤＩＤデータのうち音声フォーマットに関するデータの部分を書き換える（Ｓ１２３）。
【００８１】
最後に、プレーヤ３０がＨＤＭＩ・Ｉ／Ｆ１２２ａを介してＨＤＭＩ接続されたことをマイコン部１１０が検出すると、マイコン部１１０は、ＥＤＩＤメモリ１１２ａに記録されているＥＤＩＤデータをプレーヤ３０に送信する（Ｓ１２４）。
【００８２】
以上、テレビ１０の動作について説明したが、Ｓ１０７やＳ１２２における「音声信号をＳＰＤＩＦから出力可能な音声フォーマット」とは、予めテレビ１０の製造時に設定されているものである。
【００８３】
（ＥＤＩＤデータの書き換えについて）
Ｓ１０７やＳ１２２におけるＥＤＩＤデータの書き換えについて、対象オーディオ機器がＡＶアンプ２０である場合を例に挙げて、図４（ａ）および図４（ｂ）を参照しながら具体的に説明する。
【００８４】
図４（ａ）および図４（ｂ）は、それぞれ、Ｓ１０７やＳ１２２における書き換え前のＥＤＩＤデータ、書き換え後のＥＤＩＤデータの例を１６進表現で示したものである。
【００８５】
図４（ａ）および図４（ｂ）では、ＥＤＩＤデータの先頭から数えて９Ａバイト目がオーディオデータブロック開始の識別子と音声フォーマットを示すデータのバイト数とを示している。オーディオデータブロック開始の識別子は、先頭３ビットの”００１”であり、音声フォーマットを示すデータのバイト数は、下位５ビットの”０００１１”（図４（ａ）の場合）および”０１１００”（図４（ｂ）の場合）である。
【００８６】
図４（ａ）では、ＥＤＩＤデータの先頭から数えて９Ｂバイト目から９Ｄバイト目までの部分（点線で囲まれた部分）が音声フォーマットを示すデータの部分であり、テレビ１０が処理することが可能な音声フォーマットであるLinear PCM(最大チャンネル数：２、サポート音声周波数:32kHz,44.1kHz,48kHz、量子化ビット数：16ビット,20ビット,24ビット)を示している。
【００８７】
マイコン部１１０は、メモリ１１１に格納された音声フォーマットを示すフォーマット情報のうちＳＰＤＩＦ・Ｉ／Ｆ１２１から音声信号を出力可能な音声フォーマット（Linear PCM、AC-3、DTS、AAC）を示すフォーマット情報（合計１２バイト）によって、ＥＤＩＤデータの音声フォーマットの部分を置き換える。すなわち、マイコン部１１０は、９Ｅバイト目以降の各バイトデータを９バイト後方に移動させるとともに、９Ｂバイト目からＡ６バイト目までの部分に各音声フォーマットを示すフォーマット情報を格納する。さらに、オーディオデータブロック開始の識別子と音声フォーマットデータのバイト数とを示す９Ａバイト目のバイトデータを”23”から” 2C”に変更する。
【００８８】
このようにして書き換えられたＥＤＩＤデータは、図４（ｂ）のようになる。
【００８９】
すなわち、図４（ｂ）において、９Ｂバイト目から９Ｄバイト目までの３バイトは、Linear PCM(最大チャンネル数：２、サポート音声周波数:32kHz,44.1kHz,48kHz、量子化ビット数：16ビット,20ビット,24ビット)を示している。また、９Ｅバイト目からＡ０バイト目までの３バイトは、AC-3(最大チャンネル数：6、サポート音声周波数: 32kHz,44.1kHz,48kHz、最大ビットレート：640kbps)を示している。また、Ａ１バイト目からＡ３バイト目までの３バイトは、DTS(最大チャンネル数：6、サポート音声周波数: 32kHz,44.1kHz,48kHz、最大ビットレート：1536kbps)を示している。さらに、Ａ４バイト目からＡ６バイト目までの３バイトは、AAC(最大チャンネル数：6、サポート音声周波数: 32kHz,44.1kHz,48kHz、最大ビットレート：640kbps)を示している。
【００９０】
以上、ＥＤＩＤデータの書き換えについて説明したが、Ｓ１０９やＳ１２５の処理により、プレーヤ３０は、受信した図４（ｂ）のＥＤＩＤデータのうち、９Ｂバイト目からＡ６バイト目までのデータを参照し、出力する音声フォーマットを判定する。この結果、プレーヤ３０は、テレビ１０がマルチチャンネルの音声フォーマットを処理できない（すなわち、テレビ１０はマルチチャンネルの音声をスピーカ１１５から出力できない）にも関わらず処理できると判定することになる。
【００９１】
したがって、プレーヤ３０は、サラウンド録音されたコンテンツを再生すると、マルチチャンネルの音声信号をテレビ１０に出力することになる。
【００９２】
以下、プレーヤ３０でコンテンツの再生が開始された後のＡＶシステム１全体の動作について説明する。なお、リモコン操作によりテレビ１０における映像入力がプレーヤ３０に切り替えられている（すなわち、ＨＤＭＩスイッチ１０５がＨＤＭＩ・Ｉ／Ｆ１２２ａを介してプレーヤ３０から送られてくるＴＭＤＳ信号をＨＤＭＩレシーバ１０４に出力するようになっている）。また、リモコン操作により音声出力先設定が外部のスピーカ４０から音声を出力する設定になっている。
【００９３】
（光ディスク再生後のＡＶシステム１全体の動作について）
プレーヤ３０がコンテンツの再生を開始すると、プレーヤ３０は映像信号およびマルチチャンネルの音声信号を含むＴＭＤＳ信号をテレビ１０に出力する。
【００９４】
テレビ１０のＨＤＭＩスイッチ１０５は、ＨＤＭＩ・Ｉ／Ｆ１２２ａを介してプレーヤ３０から送られてきたＴＭＤＳ信号をＨＤＭＩレシーバ１０４に出力する。
【００９５】
ＨＤＭＩレシーバ１０４は、入力されたＴＭＤＳ信号を映像信号と音声信号とに分離し、映像信号を映像処理部１０２に、音声信号を音声処理部１０３に出力する。
【００９６】
映像処理部１０２は、入力された映像信号に基づいてパネル１１４に映像を表示する。一方、音声処理部１０３は、音声出力先設定が外部のスピーカになっているので、音声信号をＳＰＤＩＦ・Ｉ／Ｆ１２１を通じて、ＡＶアンプ２０に出力する。
【００９７】
マルチチャンネルの音声信号が入力されたＡＶアンプ２０は、接続されているスピーカ４０からサラウンド音声を出力する。
【００９８】
（テレビ１０の利点）
以上のように、テレビ１０では、ＣＥＣ処理部１０１が、ＡＶアンプ２０が音声信号を処理することが可能なフォーマットを示すフォーマット情報を、ＣＥＣラインを通じて受信する。
【００９９】
そして、マイコン部１１０は、ＣＥＣ処理部１０１が受信したフォーマット情報が示す音声フォーマットからＳＰＤＩＦ・Ｉ／Ｆ１２１からデジタル音声ケーブルを通じて音声信号を出力可能な音声フォーマットを抽出する。さらに、マイコン部１１０は、ＥＤＩＤメモリ１２２ａのＥＤＩＤデータのうち音声フォーマットを示すフォーマット情報が記録された部分を、抽出した音声フォーマットを示すフォーマット情報により書き換える。
【０１００】
フォーマット情報が書き換えられたＥＤＩＤデータを読み込んだプレーヤ３０は、映像信号と、ＡＶアンプ２０が処理することが可能なフォーマットの音声信号と、をテレビ１０に供給する。
【０１０１】
従って、図２のように、プレーヤ３０とＡＶアンプ２０とに接続されるテレビ１０において、ＡＶアンプ２０が処理可能なフォーマットの音声信号を、テレビ１０自身がそのフォーマットの音声信号を処理可能であるか否かに関わらず、プレーヤ３０から供給させることができる。
【０１０２】
（システム１の変形例）
以上説明したように、本実施形態に係るＡＶシステム１は、テレビ１０をシンク機器とし、ＡＶアンプ２０をリピータ機器、プレーヤ３０およびレコーダ５０をソース機器とするシステムであるが、本発明はこれに限定されない。すなわち、本実施形態に係るＡＶシステム１の変形例として図５に示すようなＡＶシステムを構成してもよい。
【０１０３】
図５は、本実施形態の変形例に係るＡＶシステムの構成を示すブロック図である。
【０１０４】
図５に示すように、変形例に係るＡＶシステム１’は、テレビ１０をリピータ機器とし、ＡＶアンプ２０をシンク機器、プレーヤ３０およびレコーダ５０をソース機器とするシステムとなっている。
【０１０５】
ＡＶシステム１’は、より具体的には、テレビ１０の２つのＨＤＭＩ・Ｉ／Ｆ（すなわち、ＨＤＭＩ入力端子）１２２ａ、１２２ｂの一方１２２ａには、プレーヤ３０が接続され、他方１２２ｂにはレコーダ５０が接続されるようになっている。
【０１０６】
また、テレビ１０の図示しないもうひとつのＨＤＭＩ・Ｉ／Ｆ（すなわち、ＨＤＭＩ出力端子）には、ＡＶアンプ２０が接続されるようになっている。
【０１０７】
テレビ１０のＨＤＭＩ出力端子にＡＶアンプ２０が接続されると、マイコン部１１０は、ＡＶアンプ２０のＥＤＩＤメモリに記録されているＥＤＩＤデータをＡＶアンプ２０から受信する。このＥＤＩＤデータには、ＡＶアンプ２０が処理することが可能な全音声フォーマットを示すフォーマット情報が含まれている。
【０１０８】
そして、マイコン部１１０は、入力されたＥＤＩＤデータをメモリ１１１に格納する。
【０１０９】
その後は、テレビ１０は、すでに説明したＳ１０６〜Ｓ１０９と同様の処理を行う。
【０１１０】
ただし、Ｓ１０７において、マイコン部１１０は、すべてのＥＤＩＤメモリ（図１では、ＥＤＩＤメモリ１１２ａ、１１２ｂ）について、保存されているＥＤＩＤデータの一部を書き換える。すなわち、マイコン部１１０は、メモリ１１１に格納されているＥＤＩＤデータ内に含まれている音声フォーマットを示すフォーマット情報により、ＥＤＩＤデータのうち音声フォーマットに関するデータの部分を置き換えるようになっている。
【０１１１】
また、Ｓ１０９において、プレーヤ３０がＨＤＭＩ・Ｉ／Ｆ１２２ａを介してＨＤＭＩ接続されたことをマイコン部１１０が検出すると、マイコン部１１０は、ＥＤＩＤメモリ１１２ａに記録されているＥＤＩＤデータをプレーヤ３０に送信し、レコーダ５０がＨＤＭＩ・Ｉ／Ｆ１２２ｂを介してＨＤＭＩ接続されたことをマイコン部１１０が検出すると、マイコン部１１０は、ＥＤＩＤメモリ１１２ｂに記録されているＥＤＩＤデータをレコーダ５０に送信する。
【０１１２】
このようにして、２つのＨＤＭＩ入力端子の一方および他方にそれぞれ接続されたプレーヤ３０およびレコーダ５０は、テレビ１０から、ＡＶアンプ２０が処理することが可能な全音声フォーマットを示すフォーマット情報に音声フォーマットに関するデータが書き換えられているＥＤＩＤデータを受信する。したがって、プレーヤ３０およびレコーダ５０は、ＡＶアンプ２０が処理することが可能な音声フォーマットの音声信号をテレビ１０に出力する。そして、テレビ１０は、音声出力先設定が外部のスピーカから音声信号を出力する設定になっている場合、ＨＤＭＩ出力端子から当該音声信号をＡＶアンプ２０に出力することになる。
【０１１３】
したがって、ＡＶシステム１’では、プレーヤ３０およびレコーダ５０のいずれでサラウンド録音されたコンテンツを再生する場合であっても、テレビ１０がサポートする音声フォーマットの如何に関わらず、ＡＶアンプ２０は、接続されているスピーカ４０からコンテンツの音声をサラウンド出力することができる。なお、プレーヤ３０およびレコーダ５０が再生するコンテンツのサラウンド録音の音声フォーマットはＡＶアンプ２０がサポートするいずれかの音声フォーマットであればよい。すなわち、ＡＶアンプ２０は、プレーヤ３０またはレコーダ５０で再生されるコンテンツの音声を、そのコンテンツの音声フォーマットがＳＰＤＩＦから音声信号を出力可能な音声フォーマットでなくても、スピーカ４０から出力することができる。
【０１１４】
また、ＡＶシステム１’では、テレビ１０からＡＶアンプ２０へ伝送される音声信号は、ＨＤＭＩケーブルを通過する。したがって、テレビ１０の代わりに、ＳＰＤＩＦ端子を備えていないテレビを用いたとしても、本発明を実施することができる。
【０１１５】
（付記事項１）
なお、Ｓ１２１における判定処理の結果、外部のスピーカから音声を出力する設定になっていると判定された場合（Ｓ１２１においてＹＥＳ）、テレビ１０は、常に、以下の処理を行ってもよい。
【０１１６】
すなわち、テレビ１０のマイコン部１１０は、対象オーディオ機器（ＡＶアンプ２０）がＨＤＭＩ接続されているか否かを定期的にモニタするようにしてもよい。
【０１１７】
そして、マイコン部１１０は、対象オーディオ機器のＨＤＭＩ接続を検出していたにも関わらず、その後に検出されなくなったときに、次の処理を行ってもよい。すなわち、マイコン部１１０は、対象オーディオ機器が参照するＥＤＩＤメモリ以外のＥＤＩＤメモリについて、テレビ１０が処理することが可能な２チャンネルの音声フォーマットを示すフォーマット情報によって、ＥＤＩＤデータのうち音声フォーマットに関するデータの部分を書き換えてもよい。また、この際に、マイコン部１１０は、音声出力先設定を、テレビ１０のスピーカ１１５から出力する設定に自動的に変更してもよい。
【０１１８】
また、対象オーディオ機器（ＡＶアンプ２０が）ＨＤＭＩ接続されているか否かを定期的にモニタする処理は、より具体的には、以下のような処理であってもよい。すなわち、マイコン部１１０が、音量制御などの対象オーディオ機器を制御するコマンドを対象オーディオ機器に送信してもよい。そして、マイコン部１１０が、一定時間内にそのコマンドに対する応答を受信した場合に対象オーディオ機器がＨＤＭＩ接続されていると判定し、一定時間内にそのコマンドに対する応答を受信しなかった場合に、対象オーディオ機器がＨＤＭＩ接続されていないと判定してもよい。
【０１１９】
なお、テレビ１０が上記のような処理を行う場合、外部のスピーカ４０からスピーカ１１５へと、または、スピーカ１１５から外部のスピーカ４０へと、テレビ１０が音声の出力先を切り替えるトリガには、ユーザーによる音声出力先設定の変更と、対象オーディオ機器が接続または切断されたことの検出との両方が存在することになる。
【０１２０】
（付記事項２）
また、実施形態におけるテレビ１０の動作の説明においては、Ｓ１０２においてＣＥＣ処理部１０１がパラメータを指定せずにオーディオフォーマット要求コマンドを送信するものとしたが、パラメータを指定するようにしてもよい。
【０１２１】
すなわち、ＣＥＣ処理部１０１は、ＳＰＤＩＦから音声信号を出力可能な全音声フォーマットをパラメータとしてオーディオフォーマット要求コマンドを送信するようにしてもよい。この場合、メモリ１１１に格納される情報が示す音声フォーマットは、すべてＳＰＤＩＦから音声信号を出力可能な音声フォーマットである。したがって、Ｓ１０７において、マイコン部１１０は、メモリ１１１に格納される情報そのものにより、ＥＤＩＤデータのうち音声フォーマットに関するデータの部分を置き換えることになる。
【０１２２】
また、オーディオフォーマット要求コマンドおよびオーディオフォーマット対応コマンドはベンダ固有のＣＥＣコマンドであるものとしたが、ＨＤＭＩ規格において規定されている標準コマンドのうちオーディオフォーマット要求コマンドおよびオーディオフォーマット対応コマンドに相当する機能を有するコマンドで代用しても構わない。
【０１２３】
さらに、テレビ１０は、必ずしもＳＰＤＩＦ・Ｉ／Ｆ１２１を介して音声信号をＡＶアンプ２０に出力しなくともよい。すなわち、ＨＤＭＩ規格で定められているARC（Audio Return Channel）機能を用いて、ＨＤＭＩ・Ｉ／Ｆ１２２ｂを介して音声信号をＡＶアンプ２０に出力してもよい。
【０１２４】
（付記事項３）
また、実施形態では、表示装置がテレビである例を示したが、表示装置はテレビに限らずディスプレイであってもよい。ディスプレイはスピーカ付きでもスピーカレスでも構わない。そして、スピーカレスである場合には、ＡＶアンプ２０がスピーカからサラウンド音声を出力できないものであってもよい。この場合、以下のようなメリットがある。
【０１２５】
すなわち、従来のディスプレイはＥＤＩＤメモリに音声フォーマットを示すフォーマット情報を全く保持していないためにプレーヤ３０で再生するコンテンツの音声を、ＡＶアンプを用いて全く出力させることができなかった。しかし、本発明をスピーカレスのディスプレイの形態で実施すると、プレーヤ３０で再生するコンテンツの音声を、ＡＶアンプを用いて出力させることができるようになる。
【０１２６】
また、実施形態では、ＡＶアンプとテレビ１０の外部スピーカとを別個の装置であるものとしたが、テレビ１０の外部スピーカは、ＡＶアンプに内蔵されたスピーカであってもよい。
【０１２７】
（付記事項４）
また、実施形態では、テレビ１０とＡＶアンプ２０とがＨＤＭＩケーブルで接続されており、テレビ１０とプレーヤ３０とがＨＤＭＩケーブルで接続されているものとしたが、本発明はこれに限定されない。テレビ１０とＡＶアンプ２０とがワイヤレスＨＤＭＩで接続されるように構成されていてもよいし、テレビ１０とプレーヤ３０とがワイヤレスＨＤＭＩで接続されるように構成されていてもよい。すなわち、ＨＤＭＩ規格に準拠した伝送方式で信号が伝送される場合、伝送路は有線であっても無線であっても構わない。また、ワイヤレスＨＤＭＩに代えて、ＨＤＭＩ規格以外の他の規格に準拠したデジタル通信インターフェース等、その他のデジタル通信インターフェースを介して、デジタル通信チャネルを通じて接続されていてもよい。
【０１２８】
（プログラム、記録媒体）
最後に、テレビ１０に含まれている各ブロックは、ハードウェアロジックによって構成すればよい。あるいは、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２９】
すなわちテレビ１０の各機能を実現する制御プログラムのプログラムコード（実行形式プログラム、中間コードプログラム、ソースプログラム）をコンピュータで読み取り可能に記録していればよい。テレビ１０（またはＣＰＵやＭＰＵ）が、供給された記録媒体に記録されているプログラムコードを読み出し、実行すればよい。
【０１３０】
プログラムコードをテレビ１０に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１３１】
またテレビ１０は、通信ネットワークと接続可能に構成しても、本発明の目的を達成できる。この場合、上記のプログラムコードを、通信ネットワークを介してテレビ１０に供給する。この通信ネットワークは、テレビ１０にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０１３２】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３５】
本発明は、２系統以上のＨＤＭＩ端子を備えたテレビやディスプレイに広く適用することができる。
【符号の説明】
【０１３６】
１０    テレビ（表示装置）
１０１    ＣＥＣ処理部（取得手段）
１０３    音声処理部（音声信号処理手段）
１１０    マイコン部（書換手段、検出手段、抽出手段、第２検出手段）
１１１    メモリ（記憶部）
１１２ａ、１１２ｂ  ＥＤＩＤメモリ
１１３    リモコン受信部（指示受付部）
１１５    スピーカ
１２１    ＳＰＤＩＦ・Ｉ／Ｆ
１２２ａ、１２２ｂ  ＨＤＭＩ・Ｉ／Ｆ
２０    ＡＶアンプ（音声信号処理装置）
３０    プレーヤ（信号供給装置）
４０    スピーカ
【図１】
2011217366.tif 000003
【図２】
2011217366.tif 000004
【図３】
2011217366.tif 000005
【図４】
2011217366.tif 000006
【図５】
2011217366.tif 000007
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
映像信号および音声信号を供給する信号供給装置と、上記信号供給装置から供給された音声信号を処理する、リピータ機器またはソース機器である音声信号処理装置とに接続され、上記映像信号の表わす映像を表示する、シンク機器である表示装置であって、
上記音声信号処理装置が処理可能な音声信号のフォーマットを示すフォーマット情報を上記音声信号処理装置から取得する取得手段と、
上記表示装置に供給する音声信号のフォーマットを決定するために上記信号供給装置により読み出されるフォーマット情報を、上記取得手段が取得したフォーマット情報に書き換える書換手段と、を備えている、ことを特徴とする表示装置。
【請求項２】
上記信号供給装置から供給された音声信号を処理する音声信号処理手段と、
上記音声信号を上記音声信号処理装置と上記音声信号処理手段とのいずれに処理させるかの指示を受け付ける指示受付部と、をさらに備え、
上記書換手段は、上記指示受付部が受け付けた指示が上記音声信号処理手段に処理させる旨の指示である場合には、上記信号供給装置により読み出されるフォーマット情報を、上記表示装置が処理可能な音声信号を表わすフォーマット情報に書き換えることを特徴とする請求項１に記載の表示装置。
【請求項３】
上記音声信号処理装置が上記表示装置に接続されたことを検出する検出手段を更に備え、
上記取得手段は、上記音声信号処理装置が上記表示装置に接続されたことを上記検出手段が検出したときに上記フォーマット情報を取得するとともに記憶部に記録し、
上記書換手段は、上記指示受付部が上記音声信号処理手段に処理させる旨の指示を受け付けた場合には、上記信号供給装置により読み出されるフォーマット情報を、上記記憶部に記録したフォーマット情報に書き換えることを特徴とする請求項２に記載の表示装置。
【請求項４】
上記表示装置と上記音声信号処理装置との間の接続が切断されたことを検出する第２検出手段をさらに備え、
上記第２検出手段が切断を検出した場合に、上記書換手段は、上記信号供給装置により読み出されるフォーマット情報を、上記表示装置が処理可能な音声信号を表わすフォーマット情報に書き換えることを特徴とする請求項３に記載の表示装置。
【請求項５】
上記音声信号処理装置とは、デジタル通信チャネルを介して接続されており、
上記音声信号処理装置に供給される音声信号は、上記デジタル通信チャネルを介して供給されることを特徴とする請求項１から４のいずれか１項に記載の表示装置。
【請求項６】
上記デジタル通信チャネルは、ＨＤＭＩ規格に準拠した伝送方式で信号が伝送される通信チャネルである、ことを特徴とする請求項５に記載の表示装置。
【請求項７】
上記デジタル通信チャネルはＨＤＭＩケーブルである、ことを特徴とする請求項６に記載の表示装置。
【請求項８】
上記音声信号処理装置とはデジタル音声ケーブルを介して接続されており、
上記取得手段が上記音声信号処理装置から取得した上記フォーマット情報が示すフォーマットの中から上記表示装置が上記デジタル音声ケーブルを介して音声信号を供給可能なフォーマットを抽出する抽出手段をさらに備え、
上記書換手段は、上記信号供給装置により読み出されるフォーマット情報を、上記抽出手段が抽出したフォーマットを示すフォーマット情報に書き換えることを特徴とする請求項１から７のいずれか１項に記載の表示装置。
【請求項９】
上記音声信号処理装置とはデジタル音声ケーブルを介して接続されており、
上記取得手段は、上記音声信号処理装置が処理可能な音声信号のフォーマットであって上記表示装置が上記デジタル音声ケーブルを介して音声信号を供給可能なフォーマットを示すフォーマット情報を上記音声信号処理装置から取得することを特徴とする請求項１から８のいずれか１項に記載の表示装置。
【請求項１０】
請求項１から９のいずれか１項に記載の表示装置が備える各手段を備えていることを特徴とするテレビジョン受像機。
【請求項１１】
請求項１から９のいずれか１項に記載の表示装置と、上記表示装置に接続されている上記信号供給装置と、上記表示装置に接続されている上記音声信号処理装置と、を含んでいる音声信号供給システム。
【請求項１２】
映像信号および音声信号を供給する信号供給装置と、上記信号供給装置から供給された音声信号を処理する、リピータ機器またはソース機器である音声信号処理装置とに接続され、上記映像信号の表わす映像を表示する、シンク機器である表示装置が、上記信号供給装置に音声信号を供給させる音声信号供給方法であって、
上記音声信号処理装置が処理可能な音声信号のフォーマットを示すフォーマット情報を上記音声信号処理装置から取得する取得工程と、
上記表示装置に供給する音声信号のフォーマットを決定するために上記信号供給装置により読み出されるフォーマット情報を、上記取得工程にて取得したフォーマット情報に書き換える書換工程と、を含んでいる、ことを特徴とする音声信号供給方法。
【請求項１３】
請求項１から９のいずれか１項に記載の表示装置としてコンピュータを動作させるプログラムであって、コンピュータを上記の各手段として機能させるためのプログラム。
【請求項１４】
請求項１３に記載のプログラムを記録しているコンピュータ読み取り可能な記録媒体。